(57)【要約】      （修正有）【課題】  効率良く被おろし材を摺りおろすことができ、おろし金でおろした場合と同様の美味しい大根おろしを手軽に得ることができ、簡易な構造で生産性及びメンテナンス性にも秀れる極めて実用性に秀れたおろし器を提供する。【解決手段】  中容器３に、突出付勢される押さえ板９により被おろし材７が押し付けられるおろし歯を有するおろし板11を設けて、この押さえ板９によりおろし歯に押し付けられる被おろし材７を、操作ハンドル１を回動操作することで摺りおろすおろし器であって、おろし板11に、放射方向に延びる長孔を押さえ板９の公転方向に間隔をおいて複数並設し、この長孔の開口縁に前記おろし歯を複数突設して、前記操作ハンドル１を回動操作して押さえ板９を遊星運動させた際、おろし歯によって摺りおろされる被おろし材７が押さえ板９の遊星運動に伴い長孔から下容器４に順次投下収納されるように構成したものである。【選択図】      図１
2006026177.tif 000002
【特許請求の範囲】
【請求項１】
上蓋と、この上蓋が装着される中容器と、この中容器の下部に装着される下容器とから成り、前記上蓋の上部にはこの上蓋から垂下する回動軸と連結されこの回動軸を回動せしめる操作ハンドルが設けられ、この回動軸の下部には、大根，人参，山芋等の被おろし材を差し込み固定し得る突起を有すると共に、前記操作ハンドルの回動操作に伴い回動する押さえ板が設けられ、この押さえ板は、回動軸の回動に応じて押さえ板を遊星運動させる遊星運動機構を介して前記回動軸の下部に設けられる構成とし、この押さえ板は、上蓋と押さえ板との間に設けた弾性部材によって中容器側に向かって突出付勢されるように構成し、前記中容器に、この突出付勢される押さえ板により被おろし材が押し付けられるおろし歯を有するおろし板を設けて、この押さえ板により前記おろし歯に押し付けられる前記被おろし材を、前記操作ハンドルを回動操作することで摺りおろすおろし器であって、前記おろし板に、放射方向に延びる長孔を前記押さえ板の公転方向に間隔をおいて複数並設し、この長孔の開口縁に前記おろし歯を複数突設して、前記操作ハンドルを回動操作して押さえ板を遊星運動させた際、おろし歯によって摺りおろされる被おろし材が前記押さえ板の遊星運動に伴い長孔から下容器に順次投下収納されるように構成したことを特徴とするおろし器。
【請求項２】
前記おろし板のおろし歯を、前記押さえ板の公転方向と略直交する前記長孔の開口縁長手方向側の一縁部若しくは両縁部に多数設けたことを特徴とする請求項１記載のおろし器。
【請求項３】
前記おろし板の前記長孔の開口縁長手方向側の両縁部に多数設けたおろし歯は、一縁部側のおろし歯と他縁部側のおろし歯とが互い違いになるように夫々並設したことを特徴とする請求項２記載のおろし器。
【請求項４】
前記おろし板の前記押さえ板の公転方向に前記間隔をおいて複数並設した歯付長孔から成るおろし孔部と、前記おろし歯が開口縁に突設されず、前記おろし孔部でおろされた被おろし材を下容器に投下収納する無歯孔から成る投下専用部とを、前記押さえ板の公転方向に交互に並設したことを特徴とする請求項１〜３のいずれか１項に記載のおろし器。
【請求項５】
前記投下専用部は、前記おろし孔部間の略全域に形成される一の無歯孔から成ることを特徴とする請求項４記載のおろし器。
【請求項６】
前記おろし板の長孔の開口縁に突設されるおろし歯は、長孔側の面をおろし板に対して略垂直な切立面に形成して、このおろし歯の長孔側の切立面により前記被おろし材が摺りおろされつつ長孔から下容器に投下収納されるように構成したことを特徴とする請求項１〜５のいずれか１項に記載のおろし器。
【請求項７】
前記上蓋と中容器との連結部及びこの中容器と下容器との連結部は、夫々着脱自在な嵌合部若しくは係合部に形成し、この上蓋と中容器と下容器とを分割自在に構成したことを特徴とする請求項１〜６のいずれか１項に記載のおろし器。
【発明の詳細な説明】
【技術分野】
【０００１】
本発明は、おろし器に関するものである。
【背景技術】
【０００２】
近年、大根や人参等を簡単に摺りおろせ、大根おろし等を手軽に作ることができる電動式摺りおろし機、例えば、特許第２６４５８５５号公報に開示されているようなものが提案されている。
【０００３】
この特許文献１に開示されている電動式摺りおろし機は、おろし歯と投下孔とを有するおろし板に、上方から大根等を押さえ板によって押さえ付けながらこの押さえ板をモータによって遊星運動せしめることで、押さえ板と共に遊星運動する大根等をおろし歯によって摺りおろし、投下孔から下方の容器に投下収納せしめる構成である。
【０００４】
【特許文献１】特許第２６４５８５５号公報
【発明の開示】
【発明が解決しようとする課題】
【０００５】
上述のような電動式摺りおろし機は、確かにおろし金等を用いて手動で摺りおろす場合より楽に、また、おろし金で手を擦る心配なく大根等を摺りおろせるものではあるが、この電動式摺りおろし機によって作った例えば大根おろしは、おろし金を用いて手で摺りおろした大根おろしより美味しくないと感じる人が多く、美味しい大根おろしを手軽に食べたいというニーズに応えることはできていない。
【０００６】
また、この電動式摺りおろし機は、大根等を摺りおろすと直ぐにおろし板上に摺りおろした大根等が溜まり、摺りおろす効率が悪くなったり、全くおろせなくなるため、頻繁にこの溜まった大根等を除去する必要があり、おろし金を使って摺りおろす場合よりもかえって面倒な場合もあり、一見便利そうな割に実用性に乏しい。
【０００７】
本発明は、上述のような現状に鑑み、繰り返しの実験の結果、おろし板に設けるおろし歯及び投下孔の形状及び配置の吟味が未だ不十分なために上記問題点が生じることを見出し完成したもので、押さえ板の遊星運動に伴い大根等の被おろし材を容器に投下収納して効率良く被おろし材を摺りおろすことができるのは勿論、おろし金でおろした場合と同様の美味しい大根おろしを手軽に得ることができ、しかも、簡易な構造で生産性及びメンテナンス性にも秀れる極めて実用性に秀れたおろし器を提供することを課題としている。
【課題を解決するための手段】
【０００８】
添付図面を参照して本発明の要旨を説明する。
【０００９】
上蓋２と、この上蓋２が装着される中容器３と、この中容器３の下部に装着される下容器４とから成り、前記上蓋２の上部にはこの上蓋２から垂下する回動軸６と連結されこの回動軸６を回動せしめる操作ハンドル１が設けられ、この回動軸６の下部には、大根，人参，山芋等の被おろし材７を差し込み固定し得る突起８を有すると共に、前記操作ハンドル１の回動操作に伴い回動する押さえ板９が設けられ、この押さえ板９は、回動軸６の回動に応じて押さえ板９を遊星運動させる遊星運動機構を介して前記回動軸６の下部に設けられる構成とし、この押さえ板９は、上蓋２と押さえ板９との間に設けた弾性部材10によって中容器３側に向かって突出付勢されるように構成し、前記中容器３に、この突出付勢される押さえ板９により被おろし材７が押し付けられるおろし歯５を有するおろし板11を設けて、この押さえ板９により前記おろし歯５に押し付けられる前記被おろし材７を、前記操作ハンドル１を回動操作することで摺りおろすおろし器であって、前記おろし板11に、放射方向に延びる長孔12を前記押さえ板９の公転方向に間隔をおいて複数並設し、この長孔12の開口縁に前記おろし歯５を複数突設して、前記操作ハンドル１を回動操作して押さえ板９を遊星運動させた際、おろし歯５によって摺りおろされる被おろし材７が前記押さえ板９の遊星運動に伴い長孔12から下容器４に順次投下収納されるように構成したことを特徴とするおろし器に係るものである。
【００１０】
また、前記おろし板11のおろし歯５を、前記押さえ板９の公転方向と略直交する前記長孔12の開口縁長手方向側の一縁部若しくは両縁部に多数設けたことを特徴とする請求項１記載のおろし器に係るものである。
【００１１】
また、前記おろし板11の前記長孔12の開口縁長手方向側の両縁部に多数設けたおろし歯５は、一縁部側のおろし歯５と他縁部側のおろし歯５とが互い違いになるように夫々並設したことを特徴とする請求項２記載のおろし器に係るものである。
【００１２】
また、前記おろし板11の前記押さえ板９の公転方向に前記間隔をおいて複数並設した歯付長孔12から成るおろし孔部14と、前記おろし歯５が開口縁に突設されず、前記おろし孔部14でおろされた被おろし材７を下容器４に投下収納する無歯孔13から成る投下専用部15とを、前記押さえ板９の公転方向に交互に並設したことを特徴とする請求項１〜３のいずれか１項に記載のおろし器に係るものである。
【００１３】
また、前記投下専用部15は、前記おろし孔部14間の略全域に形成される一の無歯孔13から成ることを特徴とする請求項４記載のおろし器に係るものである。
【００１４】
また、前記おろし板11の長孔12の開口縁に突設されるおろし歯５は、長孔12側の面をおろし板11に対して略垂直な切立面に形成して、このおろし歯５の長孔12側の切立面により前記被おろし材７が摺りおろされつつ長孔12から下容器４に投下収納されるように構成したことを特徴とする請求項１〜５のいずれか１項に記載のおろし器に係るものである。
【００１５】
また、前記上蓋２と中容器３との連結部及びこの中容器３と下容器４との連結部は、夫々着脱自在な嵌合部若しくは係合部に形成し、この上蓋２と中容器３と下容器４とを分割自在に構成したことを特徴とする請求項１〜６のいずれか１項に記載のおろし器に係るものである。
【発明の効果】
【００１６】
本発明は上述のように構成したから、押さえ板の遊星運動に伴い大根等の被おろし材を容器に投下収納して効率良く被おろし材を摺りおろすことができるのは勿論、おろし金でおろした場合と同様の美味しい大根おろしを手軽に得ることができ、しかも、簡易な構造で生産性及びメンテナンス性にも秀れる極めて実用性に秀れたおろし器となる。
【００１７】
また、請求項２，３記載の発明においては、より効率良く均一に被おろし材を摺りおろすことができる一層実用性に秀れたものとなる。
【００１８】
また、請求項４，５記載の発明においては、本発明を一層容易に実現できるより一層実用性に秀れたものとなる。
【００１９】
また、請求項６記載の発明においては、一層確実におろし板上に摺りおろした被おろし材が溜まることを阻止できるより一層実用性に秀れたものとなる。
【００２０】
また、請求項７記載の発明においては、洗浄等の作業を一層容易に行えるより一層実用性に秀れたものとなる。
【発明を実施するための最良の形態】
【００２１】
好適と考える本発明の実施形態（発明をどのように実施するか）を、図面に基づいて本発明の作用を示して簡単に説明する。
【００２２】
上蓋２から垂下する回動軸６の下部の押さえ板９の突起８に適当な長さに切った大根等の被おろし材７を差し込み固定し、この上蓋２を中容器３に装着して、この中容器３のおろし歯５を有するおろし板11に、弾性部材10により突出付勢される押さえ板９によって前記被おろし材７を押し付けた状態で回動軸６と連結する操作ハンドル１を回動操作することで、前記おろし歯５により押さえ板９と共に遊星運動する被おろし材７を摺りおろす。
【００２３】
この際、おろし歯５は、放射方向に延びる長孔12の開口縁に複数突設されているから、摺りおろされた被おろし材７は容易に直近の長孔12から下容器４に投下収納され、しかも、遊星運動する被おろし材７は、例えば図８に図示したように放射方向に延びる長孔12を横切るように公転すると共に、この公転方向（図８中Ｂ方向）と逆方向（図８中Ａ方向）に自転するから、この自転によりこの長孔12の開口縁のおろし歯５によって摺りおろされた被おろし材７は放射方向に延びる長孔12に良好に誘導され、この長孔12から下容器４に良好に投下収納される。
【００２４】
即ち、おろし歯５によって摺りおろされた被おろし材７は、このおろし歯５の周囲に溜まりにくく、被おろし材７を常に効率良く摺りおろすことができ、作業中に頻繁におろし板11上に溜まった被おろし材７を除去する必要がなく、簡単に大根等を摺りおろすことができる。
【００２５】
また、おろし歯５は、間隔をおいて複数並設した長孔12の開口縁に突設されるから、おろし歯５の密度が高くなり過ぎず、被おろし材７を摺りおろす際の抵抗を適切に設定でき、被おろし材７の細胞の破壊を抑制しつつ軽快に摺りおろすことができ、上述のように弾性部材10により付勢されることと相俟って操作ハンドル１を軽く回動操作するだけで、美味しい大根おろし等を得ることができる。
【００２６】
また、本発明は、操作ハンドル１を回動操作することで押さえ板９を遊星運動させてこの押さえ板９の突起８に差し込み固定した被おろし材７を摺りおろす所謂手動式であるから、電動式摺りおろし機によって摺りおろす場合に比し、摺りおろし速度が遅く大根等の細胞を破壊しにくく、この点からも美味しい大根おろし等となる。
【００２７】
更に、本発明は、上述したように被おろし材７は長孔12を横切るように移動してこの長孔12の開口縁に設けられたおろし歯５によって摺りおろされるから、前記遊星運動と相俟って被おろし材７をより均等に且つより効率良く摺りおろすことができ、しかも、均等に偏りなく被おろし材７を摺りおろすことができるから、被おろし材７のおろし歯５によって摺りおろされる面は平坦となり、弾性部材10によるおろし板11への突出付勢により被おろし材７に作用する力は均一となるから、この点からも被おろし材７の細胞の破壊は抑制されて美味しい大根おろし等を手軽に得ることができることになる。
【００２８】
また、本発明は、上蓋２と中容器２と下容器３の三つの部材を組み合わせて構成しているから、簡易な構造で組み立てを簡単に行え、しかも、例えば、上蓋２と中容器３との連結部及びこの中容器３と下容器４との連結部を、夫々着脱自在な嵌合部若しくは係合部に形成し、この上蓋２と中容器３と下容器４とを分割自在に構成することで、極めて簡単に分割でき、被おろし材７の取り付けや、内部の洗浄を極めて容易に行えることになる。
【００２９】
従って、本発明は、押さえ板の遊星運動に伴い大根等の被おろし材を容器に投下収納して効率良く被おろし材を摺りおろすことができるのは勿論、おろし金でおろした場合と同様の美味しい大根おろしを手軽に得ることができ、しかも、簡易な構造で生産性及びメンテナンス性にも秀れる極めて実用性に秀れたおろし器となる。
【００３０】
また、例えば、前記おろし板11のおろし歯５を、前記押さえ板９の公転方向と略直交する前記長孔12の開口縁長手方向側の一縁部若しくは両縁部に多数設けた場合には、より均一に被おろし材７を摺りおろせることになる。
【００３１】
また、例えば、前記おろし板11の前記長孔12の開口縁長手方向側の両縁部に多数設けたおろし歯５は、一縁部のおろし歯５とこの一縁部と対向する他縁部のおろし歯５とが互い違いとなるように夫々並設した場合には、より一層均一に且つ効率良く被おろし材７を摺りおろせることになる。
【００３２】
また、例えば、前記おろし板11の前記押さえ板９の公転方向に前記間隔をおいて複数並設した歯付長孔12から成るおろし孔部14と、前記おろし歯５が開口縁に突設されず、前記おろし孔部14でおろされた被おろし材７を下容器４に投下収納する無歯孔13から成る投下専用部15とを、前記押さえ板９の公転方向に交互に並設した場合には、より確実に押さえ板９の回動に伴い被おろし材７を下容器４に投下収納し得ることになる。
【００３３】
また、例えば、前記おろし板11の長孔12の開口縁に突設されるおろし歯５は、長孔12側の面をおろし板11に対して略垂直な切立面に形成して、このおろし歯５の長孔12側の切立面により前記被おろし材７が摺りおろされつつ長孔12から下容器４に投下収納されるように構成した場合には、極めて効率良く被おろし材７を下容器４に投下収納し得ることになる。
【実施例】
【００３４】
本発明の具体的な実施例について図面に基づいて説明する。
【００３５】
本実施例は、上蓋２と、この上蓋２が装着される中容器３と、この中容器３の下部に装着される下容器４とから成り、前記上蓋２の上部にはこの上蓋２から垂下する回動軸６と連結されこの回動軸６を回動せしめる操作ハンドル１が設けられ、この回動軸６の下部には、大根，人参，山芋等の被おろし材７を差し込み固定し得る突起８を有すると共に、前記操作ハンドル１の回動操作に伴い回動する押さえ板９が設けられ、この押さえ板９は、回動軸６の回動に応じて押さえ板９を遊星運動させる遊星運動機構を介して前記回動軸６の下部に設けられる構成とし、この押さえ板９は、上蓋２と押さえ板９との間に設けた弾性部材10によって中容器３側に向かって突出付勢されるように構成し、前記中容器３に、この突出付勢される押さえ板９により被おろし材７が押し付けられるおろし歯５を有するおろし板11を設けて、この押さえ板９により前記おろし歯５に押し付けられる前記被おろし材７を、前記操作ハンドル１を回動操作することで摺りおろすおろし器であって、前記おろし板11に、放射方向に延びる長孔12を前記押さえ板９の公転方向に間隔をおいて複数並設し、この長孔12の開口縁に前記おろし歯５を複数突設して、前記操作ハンドル１を回動操作して押さえ板９を遊星運動させた際、おろし歯５によって摺りおろされる被おろし材７が前記押さえ板９の遊星運動に伴い長孔12から下容器４に順次投下収納されるように構成したものである。
【００３６】
具体的には、図５に図示したように前記おろし板11のおろし歯５を、略楕円形状の長孔12の前記押さえ板９の公転方向と略直交する開口縁長手方向側の両縁部に多数設けている。更に、このおろし歯５は、一縁部側のおろし歯５と他縁部側のおろし歯５とが互い違いとなるように並設されている。
【００３７】
また、本実施例においては、前記開口縁短手方向側の両縁部にも前記おろし歯５を設け、より均一に前記被おろし材７を摺りおろせるように構成している（即ち、本実施例においては、前記長孔12の全周縁におろし歯５を設けている。）。
【００３８】
また、前記おろし板11の前記押さえ板９の公転方向に前記間隔をおいて複数並設した（歯付）長孔12から成るおろし孔部14と、前記おろし歯５が開口縁に突設されず、前記おろし孔部14でおろされた被おろし材７を下容器４に投下収納する無歯孔13から成る投下専用部15とを、前記押さえ板９の公転方向に交互に並設している。
【００３９】
具体的には、前記おろし孔部14は三つの長孔12から成り、このおろし孔部14は、前記押さえ板９の公転方向に等間隔で三カ所に設けている。
【００４０】
また、前記投下専用部15は、前記おろし孔部14間の略全域に形成される略扇形の一の無歯孔13から成り、この投下専用部15は、前記押さえ板９の公転方向に等間隔で三カ所に設けている。
【００４１】
尚、本実施例においては、前記おろし孔部14及び投下専用部15を三カ所ずつ交互に並設した構成としているが、二カ所以下若しくは四カ所以上に並設した構成としても良い。また、長孔12及び無歯孔13の形状も、長方形状等、他の形状に設定しても良いし、長孔12を二つ以下若しくは４つ以上並設したり、無歯孔13を複数設けた構成としても良い。
【００４２】
従って、おろし板11の外周部においておろし歯５が多くならず、それだけ少ない抵抗で前記被おろし材７を摺りおろすことが可能となる。
【００４３】
また、本実施例においては、おろし板11の強度が保持できる範囲で可及的に長孔12及び無歯孔13をおろし板11の全域に形成しており、おろし板11上に摺りおろされた被おろし材７が可及的に溜まらず、且つ、ある一部分に被おろし材７が溜まらないようにしている。
【００４４】
従って、前記遊星運動する押さえ板９に固定される被おろし材７は、均一に前記おろし歯５によって摺りおろされることになり、前記弾性部材10による押圧はこの被おろし材７に均一に作用し、それだけ大根等の細胞が破壊されにくく美味しい大根おろし等を作ることができる。
【００４５】
また、本実施例においては、図８に図示したように前記押さえ板９が遊星運動、即ち、自転しながら公転するから、この自転により確実におろし歯５によって摺りおろされ、且つ公転と自転とは逆回転であるから、おろし歯５によって摺りおろされた被おろし材７は、おろし板11の外周側に誘導される。これにより、このおろし板11の外周部に設けられる無歯孔13及び放射方向に延びる長孔12から良好に被おろし材７が下容器４に投下収納され、おろし板11上には摺りおろされた被おろし材７が溜まりにくく、常に良好におろし歯５によって摺りおろされる構成を実現できる。また、長孔12についても、この長孔12は放射方向に延びることで、前記おろし板11の外周側に誘導される被おろし材７を良好に投下せしめることができる。
【００４６】
即ち、おろし板11の外周部にはおろし歯５が散在し、しかも、無歯孔13が形成されているから、摺りおろされた被おろし材７は一度に大量には生ぜず、滞ることなく順次長孔12及び無歯孔13から下容器４に投下収納されることになり、この摺りおろされた被おろし材７は、おろし板11上に摺りおろしを阻害する程度には溜まらないことになる。
【００４７】
また、前記おろし板11の長孔12の開口縁に突設されるおろし歯５は、図５及び図６に図示したように略三角錐形状であり、長孔12側の面をおろし板11に対して略垂直な切立面に形成して、このおろし歯５の長孔12側の切立面により前記被おろし材７が摺りおろされつつ長孔12から下容器４に投下収納されるように構成している。また、このおろし歯５の長孔12側の面と反対側の面は、押さえ板９の回動方向を向く鋭角面に形成し、この鋭角面（の稜線）により大根等の繊維を切断しやすい形状としている。
【００４８】
従って、本実施例においては、おろし歯５の長孔12側の切立面により削られる被おろし材７を長孔12にそのまま投下することができ、この点からもおろし板11上には摺りおろした被おろし材７が溜まりにくく、摺りおろしは極めて効率良く行え、また、この長孔12側の面と反対側の面により大根等の繊維を細かく切断することができるから、より美味しい大根おろし等を作ることができる。
【００４９】
また、このおろし歯５は長孔12の全周縁に形成しているから、前記押さえ板９の公転及び自転によってどちらの回転に対しても上記の作用を発揮でき、それだけ効率良く被おろし材７を摺りおろすことができる。
【００５０】
各部を具体的に説明する。
【００５１】
上蓋２は、図３，４に図示したように略中央部に挿通孔２ａを有し、この上蓋２から垂下する回動軸６の上部は、この挿通孔２ａを通じて上蓋２の上部に設けられる操作ハンドル１の基体１ｂの基端部にネジ部20を介して連結されている。この操作ハンドル１の基体１ｂの先端部には、握持部１ａを止着部材21によって止着している。尚、図中符号29は、上蓋２を手で押さえ付けるための押さえ部である。
【００５２】
また、上蓋２の下面にして前記挿通孔２ａの周囲には、弾性部材10としてのスプリングの上端側が当接する凹部26を形成し、この凹部26には、前記スプリングの内径と略一致する円環凸条27を設けている。
【００５３】
挿通孔２ａは、下方にやや延設され、その断面形状は前記回動軸６が回動自在に収納されるカバー体16の外周形状と略一致する形状に設定している。
【００５４】
カバー体16は円筒状の上部径小部16ｂと、径大で内面にインナーギア18が形成された、下部径大部16ｃとから成り、上部径小部16ｂの外周面には所定間隔で４本の凸条16ａが形成されており、この四本の凸条16ａと前記下方に延設される挿通孔２ａとによりガイド作用が発揮され、カバー体16に対する上蓋２の上下動は良好に行われる。
【００５５】
また、下部径大部16ｃにして前記環状凸条27との対向位置には、スプリングの内径と略一致する段部17が形成され、下部径大部16ｃの上面にして前記段部17の外周側に前記スプリングの下端側が当接し、このスプリングにより、前記下部径大部16ｃ（カバー体16）が下方に突出付勢されるように構成している。
【００５６】
カバー体16に収納される回動軸６は、上部径小部６ａと下部径大部６ｂとから成り、下部径大部６ｂのこの回動軸６の回転軸に対する偏心位置には、押さえ板９の中央部のボルト挿通孔９ａと連通する取付用孔６ｃが形成されている。従って、上述のようにネジ部20を介してこの回動軸６を操作ハンドル１に連結すると、この回動軸６の下部径大部６ｂの外側上面によりカバー体16の下部径大部16ｃ内側下面は押さえ込み支承されて抜け止めされる。
【００５７】
押さえ板９の上部には、この押さえ板９より径小で、前記カバー体16の下部径大部16ｃの内面のインナーギア18と噛合するギア19ａが外周部に形成されたギア部19が形成され、この押さえ板９は、押さえ板９のボルト挿通孔９ａと回動軸６の下部径大部６ｂの取付用孔６ｃを挿通するボルト23と回動軸６の下部径大部６ｂの上面に位置するナット22とにより前記回動軸６に取り付けられる。
【００５８】
従って、本実施例の遊星運動機構は、回動軸６の下部径大部６ｂの偏心位置に取り付けられた押さえ板９のギア部19と、カバー体16の下部径大部16ｃのインナーギア18とで構成され、回動軸６の回動に伴い、この押さえ板９は図８中Ｂ方向に公転すると共に、この公転に伴い前記インナーギア18とギア19ａとの噛み合わせにより、押さえ板９は図８中Ａ方向に自転する。
【００５９】
また、押さえ板９とカバー体16の下部径大部16ｃとにより、前記ギア部19は隠蔽されるから、前記インナーギア18とギア19ａとの間（遊星運動機構）に摺りおろし滓が入ることを阻止できる。
【００６０】
また、上述したようにカバー体16は回動軸６により抜け止めされるから、前記カバー体16を下方に付勢するスプリングにより回動軸６も下方に付勢される。従って、この回動軸６の下部径大部６ｂと連結する押さえ板９も下方に付勢される。この付勢度合及び回動軸６とカバー体16の長さは、被おろし材７を押さえ板９とおろし板11とに介在せしめない状態で、押さえ板９の突起８とおろし板11のおろし歯５とが当接しない間隔に設定している。
【００６１】
中容器３には、上部に上蓋２の下方内面四カ所に設けた突片２ｂと係合し、この突片２ｂの端部と係止する係止部を一側に有する係合突片３ａが形成されており、この突片２ｂと係合突片３ａとが重ならない状態で中容器３に上蓋２を被せ、この上蓋２を押さえ付けながら回転することで突片２ｂと係合突片３ａとが係止して上蓋２は中容器３に止着される。
【００６２】
また、中容器３の底部内面には、おろし板11の外周に突設された係止突片11ａが通過回動して係止する係止溝３ｂが形成されている。更に、下面には、下容器４の開口部内縁に突設された周壁部４ａが嵌合する空間部３ｃが形成されている。
【００６３】
また、中容器３は筒状で、この中容器３の下部に装着される下容器４と連通するように構成している。下容器４は前記中容器３からの摺りおろされた被おろし材７を溜められる深底状容器であり、下部には安定度を高めるために底部拡大用のリブ28が周設されている。尚、符号25は、滑り止め用のゴムである。
【００６４】
従って、本実施例の前記上蓋２と中容器３との連結部，中容器３と下容器４との連結部及び中容器３とおろし板11との連結部は、夫々着脱自在な嵌合部若しくは係合部に形成され、この上蓋２と中容器３と下容器４とおろし板11とを分割自在に構成しているから（図２参照）、被おろし材７の取り付け及び各部の洗浄が極めて容易に行える。また、上蓋２，中容器３，下容器４及びおろし板11は夫々プラスチック製としており、この点からも極めて手入れが簡単で、しかも量産性及びコスト性に秀れることになる。
【００６５】
また、押さえ板９の下面には、図７に図示したように多数の突起８が所定間隔で多数並設されている。具体的には、おろし板11のおろし歯５の形状及び配置とのバランスが適切となるように突起８の形状，本数，突出度を設定して、大根・人参・長芋等を良好に摺りおろせるように構成している。具体的には、突起８の先端部は傾斜先端部に設定され、被おろし材７の差し込みが容易に行える構成である。また、この突起８の傾斜先端部は外周側程その突出度が大きくなるように形成し、それだけ抜けにくく空滑りしない構成である。
【００６６】
おろし板11は、中央部から外周部に向かって延びる長孔12が各方向毎に複数形成されている。具体的には、図５中上方向に延びる長孔12群と、図５中左下方向に延びる長孔12群と、図５中右下方向に延びる長孔12群とが形成されている。これらの長孔12群同志の間には、無歯孔13が形成されている。即ち、長孔12を三つ並設して成る長孔12群は押さえ板９の回動方向に所定間隔（１２０°毎）で設けられている。また、長孔12は図６に図示したように、下側程拡径するように形成され、被おろし材７の通過を容易ならしめている。
【００６７】
尚、請求項における放射方向に延びるとは厳密な意味ではなく、中央部から外周部に直線的に延びるという意味であり、本実施例においては、長孔12群の中央の長孔12は中央部から放射方向に延びているが、両脇の長孔12は、中央の長孔12と平行な方向に延びている。即ち、長孔12は上述したように、回動する被おろし材７が横切る方向に延びていれば良い。
【００６８】
また、おろし板11は、上述したように簡単に取り外すことができるから、粗目パターンや細目パターンのおろし板11に取り替えることも簡単に行える。
【００６９】
本実施例は上述のように構成したから、被おろし材７をおろす場合、先ず上蓋２を中容器３から取り外し、上蓋２から垂下する回転軸６（カバー体16）の下部に取り付けられる押さえ板９の突起８に大根等の被おろし材７を取り付け、この上蓋２を中容器３に取り付ける。この際、被おろし材７の厚み分だけスプリングが圧縮され、カバー体16が蓋体２の上部から突出する（即ち、スプリングにより突出付勢される押さえ板９により被おろし材７がおろし板11に押し付けられる。）。
【００７０】
この状態で操作ハンドル１を回動操作すると、押さえ板９及び被おろし材７は前記おろし板11のおろし歯５に押し付けられながら遊星運動することで、このおろし歯５によって被おろし材７が摺りおろされ、長孔12及び無歯孔13から下容器４に投下収納される。
【００７１】
また、操作ハンドル１の回動操作に際し、押し付けながら回動操作する必要はなく、単に水平回動するだけで被おろし材７を摺りおろすことができる。
【００７２】
また、摺りおろした後は、上蓋２と中容器３と下容器４とを分割して簡単に内部を洗浄することができ、それだけ衛生的となる。
【００７３】
従って、本実施例は、押さえ板の遊星運動に伴い大根等の被おろし材を容器に投下収納して効率良く被おろし材を摺りおろすことができるのは勿論、おろし金でおろした場合と同様の美味しい大根おろしを手軽に得ることができ、しかも、簡易な構造で生産性及びメンテナンス性にも秀れる極めて実用性に秀れたおろし器となる。
【００７４】
本発明は、本実施例に限られるものではなく、各構成要件の具体的構成は適宜設計し得るものである。
【図面の簡単な説明】
【００７５】
【図１】本実施例の概略説明斜視図である。
【図２】本実施例の概略説明分解斜視図である。
【図３】本実施例の上蓋の概略説明分解斜視図である。
【図４】本実施例の概略説明断面図である。
【図５】本実施例のおろし板の概略説明平面図である。
【図６】本実施例のおろし板の拡大説明断面図である。
【図７】本実施例の押さえ板の概略説明裏面図である。
【図８】本実施例の押さえ板の遊星運動の概略説明図である。
【符号の説明】
【００７６】
１  操作ハンドル
２  上蓋
３  中容器
４  下容器
５  おろし歯
６  回動軸
７  被おろし材
８  突起
９  押さえ板
10  弾性部材
11  おろし板
12  長孔
13  無歯孔
14  おろし孔部
15  投下専用部
【図１】
2006026177.tif 000003
【図２】
2006026177.tif 000004
【図３】
2006026177.tif 000005
【図４】
2006026177.tif 000006
【図５】
2006026177.tif 000007
【図６】
2006026177.tif 000008
【図７】
2006026177.tif 000009
【図８】
2006026177.tif 000010